(57)【要約】【課題】 本発明は、明暗対比を拡張して生動感のある映像を表示するとともに階調を拡張するようにしたプラズマディスプレイパネルの駆動装置及び駆動方法を提供する。【解決手段】 本発明によるプラズマディスプレイパネルの駆動装置は、外部から入力されるi(iは正の定数)番目のフレームデータを１フレーム遅延するためのフレームメモリーと、 i番目のフレームデータ及びフレームメモリーから供給されるi-１番目のフレームデータを逆ガンマ補正するための逆ガンマ補正部と、逆ガンマ補正部から供給されるi番目のフレームデータから最高階調値を抽出するとともに自分に格納されたi-１番目のフレームの最高階調値を出力するための最大階調値出力部と、逆ガンマ補正部から入力されるi-１番目のフレームデータと最大階調値出力部から供給されるi-１番目最高階調値を利用してi-１番目のフレームデータを階調拡張するためのゲイン調整部とを備える。【選択図】  図４
2005107533.tif 000002
【特許請求の範囲】
【請求項１】
外部から入力されるi(iは正の定数)番目のフレームデータを１フレーム遅延するためのフレームメモリーと、
前記i番目のフレームデータ及び前記フレームメモリーから供給されるi-１番目のフレームデータを逆ガンマ補正するための逆ガンマ補正部と、 
フレームデータから最高階調値を抽出し、抽出した最高階調値を一時的に格納した後に出力する最大階調出力部であって、前記逆ガンマ補正部から供給されるi番目のフレームデータから最高階調値を抽出するとともに自分に格納されたi-１番目のフレームの最高階調値を出力するための最大階調値出力部と、
前記逆ガンマ補正部から入力されるi-１番目のフレームデータと、前記最大階調値出力部から供給されるi-１番目の最高階調値とを利用して、i-１番目のフレームデータの階調を拡張するためのゲイン調整部と、
を備えることを特徴とする、プラズマディスプレイパネルの駆動装置。
【請求項２】
前記ゲイン調整部は、前記i-１番目のフレームデータの階調が、前記プラズマディスプレイパネルで表現可能な階調領域に分布されるように階調を拡張することを特徴とする、請求項１に記載のプラズマディスプレイパネルの駆動装置。
【請求項３】
前記ゲイン調整部は、下式を利用して前記i-１番目のフレーム階調を拡張することを特徴とする、請求項１又は２に記載のプラズマディスプレイパネルの駆動装置。
拡張階調=ＭＧＬ/ＦＧＬ×input data
（ここで、ＭＧＬは表現可能な最高階調、ＦＧＬはi-１番目のフレームの最高階調値、input dataは逆ガンマ補正部から入力されるi-１番目のフレームデータである。）
【請求項４】
前記逆ガンマ補正部から供給されるi番目のフレームデータを利用して一画面単位の平均輝度を計算し、計算された平均輝度に対応されるサステインパルス数の情報を出力するためのＡＰＬ(Average Picture Level)計算部と、
前記ＡＰＬ計算部から出力されるサステインパルス数の情報を１フレーム遅延して出力するための遅延部と、
をさらに備えることを特徴とする、請求項１乃至３の何れかに記載のプラズマディスプレイパネルの駆動装置。
【請求項５】
前記i番目のフレームデータを逆ガンマ補正するための追加逆ガンマ補正部と、 
前記追加逆ガンマ補正部から供給されるi番目のフレームデータを利用して一画面単位の平均輝度を計算し、計算された平均輝度に対応されるサステインパルス数の情報を出力するためのＡＰＬ(Average Picture Level)計算部と、
前記ＡＰＬ計算部から出力されるサステインパルス数の情報を１フレーム遅延して出力するための遅延部と、
をさらに備えることを特徴とする、請求項１乃至３の何れかに記載のプラズマディスプレイパネルの駆動装置。
【請求項６】
前記ゲイン調整部から供給される階調拡張されたi-１番目のフレームデータをサーブフィールドパターンにマッピング(Mapping)するためのサーブフィールドマッピング部と、
前記サーブフィールドマッピング部から供給されるデータを整列してデータ駆動回路に供給するためのデータ整列部と、
前記遅延部から供給されるi-１番目のサステインパルス数の情報に対応されるタイミング制御信号を生成してスキャン駆動回路及びサステイン駆動回路に供給するための波形発生部と、
を備えることを特徴とする、請求項４又は５に記載のプラズマディスプレイパネルの駆動装置。
【請求項７】
外部からフレーム単位に供給されるデータを逆ガンマ補正する段階と、
前記逆ガンマ補正されたデータからフレームの最高階調値を抽出する段階と、
前記最高階調値を利用して前記データの階調を拡張する段階と、
を含むことを特徴とする、プラズマディスプレイパネルの駆動方法。
【請求項８】
前記データの階調を拡張する段階では、下式を利用して階調を拡張することを特徴とする、請求項７に記載のプラズマディスプレイパネルの駆動方法。
拡張階調=ＭＧＬ/ＦＧＬ×input data
（ここで、 ＭＧＬは表現可能な最高階調、ＦＧＬはフレームの最高階調値、input dataは逆ガンマ補正部から入力されるデータである。）
【請求項９】
前記逆ガンマ補正されたデータを利用して一画面単位の平均輝度を計算し、計算された平均輝度に対応されサステインパルス数を算出する段階を含むことを特徴とする、請求項７又は８に記載のプラズマディスプレイパネルの駆動方法。
【請求項１０】
外部から供給されるi番目のフレームデータを１フレーム遅延して出力する段階と、
１フレームが遅延された i-１番目のフレームデータ及び前記i番目のフレームデータを逆ガンマ補正する段階と、
前記逆ガンマ補正されたデータのi番目のフレームデータから最高階調値を抽出するとともに格納されたi-１番目のフレームデータの最高階調値を出力する段階と、
前記逆ガンマ補正された前記i-１番目のフレームデータを、前記i-１番目のフレームデータの最高階調値を利用して階調拡張する段階と、
を含むことを特徴とする、プラズマディスプレイパネルの駆動方法。
【請求項１１】
前記階調拡張する段階にでは、下式を利用して階調を拡張することを特徴とする、請求項１０に記載のプラズマディスプレイパネルの駆動方法。
拡張階調=ＭＧＬ/ＦＧＬ×input data
（ここで、ＭＧＬは表現可能な最高階調、ＦＧＬはi-１フレームの最高階調値、input dataは逆ガンマ補正部から入力されるi-１フレームデータである。）
【請求項１２】
前記逆ガンマ補正されたi番目のフレームデータを利用して一画面単位の平均輝度を計算し、計算された平均輝度に対応されサステインパルス数を算出する段階と、
前記算出されたサステインパルス数の情報を１フレーム遅延する段階と、
を含むことを特徴とする、請求項１０又は１１に記載のプラズマディスプレイパネルの駆動方法。
【請求項１３】
前記階調が拡張されたi-１番目のフレームデータ及び１フレーム遅延されたi-１番目のサステインパルス数の情報を利用して画像を表示する段階を含むことを特徴とする、請求項１２に記載のプラズマディスプレイパネルの駆動方法。
【請求項１４】
外部から供給される前記フレームデータを逆ガンマ補正して出力する逆ガンマ補正部と、
前記逆ガンマ補正部から出力される前記フレームデータから最高階調値を抽出する最大階調値出力部と、
前記逆ガンマ補正部から出力される前記フレームデータと、前記最大階調値出力部から供給される前記フレームデータに対応する最高階調値とを利用して、前記フレームデータの階調を拡張するゲイン調整部と、
を備えることを特徴とするプラズマディスプレイパネルの駆動装置。
【請求項１５】
外部から供給されるフレームデータを１フレーム遅延させるためのフレームメモリをさらに備え、
前記逆ガンマ補正部は、外部から供給される前記フレームデータを逆ガンマ補正して出力する第１逆ガンマ補正手段と、前記フレームメモリから１フレーム分遅れて供給される前記フレームデータを逆ガンマ補正して出力する第２逆ガンマ補正手段とを含み、
前記最大階調値出力部は、前記第１逆ガンマ補正手段から出力される前記フレームデータから最高階調値を抽出し、
前記ゲイン調整部は、前記第２逆ガンマ補正手段から出力される前記フレームデータと、前記最大階調値出力部から供給される前記フレームデータに対応する最高階調値とを利用して、前記フレームデータの階調を拡張することを特徴とする、
請求項１４に記載のプラズマディスプレイパネルの駆動装置。
【発明の詳細な説明】
【技術分野】
【０００１】
本発明は、プラズマディスプレイパネルの駆動装置及び駆動方法に関し、特に、明暗対比を拡張して生動感のある映像を表示するとともに階調を拡張できるようにしたプラズマディスプレイパネルの駆動装置及び駆動方法に関する。
【背景技術】
【０００２】
一般的にプラズマディスプレイパネル(Plasma Display Panel:以下、「ＰＤＰ」という)は、ガス放電によって発生される紫外線が蛍光体を励起させるとき蛍光体から発生する可視光線を利用して画像を表示する。このようなＰＤＰは今までの表示手段の主をなしていた陰極線管(Cathode Ray Tube:ＣＲＴ)に比べて厚さが薄くかつ軽く、高鮮明/大画面を具現することができるという長所がある。
【０００３】
図１は、従来のプラズマディスプレイパネルを概略的に示す平面図であり、図２は、図１に示されたセルの構造を詳細に示す斜視図である。
【０００４】
図１及び図２を参照すれば、３電極交流面放電型ＰＤＰは、上部基板１０上に形成された走査電極(Ｙ１〜Ｙn)及び維持電極Ｚと、下部基板１８上に形成されたアドレス電極(Ｘ１〜Ｘm)とを備える。
このＰＤＰの放電セル１は、走査電極(Ｙ１〜Ｙn)、維持電極Ｚ及びアドレス電極(Ｘ１〜Ｘm)の交差部毎に形成される。
【０００５】
走査電極(Ｙ１〜Ｙn)と維持電極Ｚのそれぞれは、透明電極１２と、透明電極１２より小さな線幅を有して透明電極の一側端に形成される金属バス電極１１とを含む。透明電極１２は、通常、インジウム・ ティン・ オキサイド (Indium-Tin-Oxide :ＩＴＯ)で上部基板１０上に形成される。金属バス電極１１は、通常、金属で透明電極１２上に形成され抵抗が高い透明電極１２による電圧降下を減らす役割をする。
【０００６】
走査電極(Ｙ１〜Ｙn)と維持電極Ｚとが形成された上部基板１０には、上部誘電体層１３と保護膜１４とが積層される。上部誘電体層１３上にはプラズマ放電時発生された壁電荷が蓄積される。保護膜１４はプラズマ放電時発生されたスパータリングから電極(Ｙ１〜Ｙn、Ｚ)と上部誘電体層１３とを保護し２次電子の放出効率を高める。この保護膜１４としては、通常、酸化マグネシウム(ＭｇＯ)が利用される。
【０００７】
アドレス電極(Ｘ１〜Ｘm)は、走査電極(Ｙ１〜Ｙn)及び維持電極Ｚと交差される方向に下部基板１８上に形成される。下部基板１８上には下部誘電体層１７と隔壁１５とが形成される。下部誘電体層１７と隔壁１５の表面には蛍光体層１６が形成される。隔壁１５はストライプ（Stripe）又は格子型に形成され、放電セルを物理的に区分して隣接した放電セル１の間の電気的、光学的干渉を遮断する。蛍光体層１６はプラズマ放電時発生された紫外線によって励起・発光され赤色、緑色又は青色の何れかの可視光線を発生する。
【０００８】
上/下部基板(１０、１８)と隔壁１５との間に設けられた放電セルの放電空間には放電のためのＨe＋Ｘｅ、Ｎｅ＋Ｘｅ、又はＨe＋Ｎｅ＋Ｘｅなどの不活性混合ガスが注入される。
【０００９】
このようなＰＤＰは画像の階調(Gray Level)を表示するために一つのフレームを発光回数が異なる複数のサーブフィールドに分けて時分割駆動している。 各サーブフィールドは放電を均一に起こすためのリセット期間と、放電セルを選択するためのアドレス期間及び放電回数によって階調を表示するサステイン期間とに分けられる。例えば、２５６階調で画像を表示しようとする場合に１/６０秒に該当するフレーム期間(１６.６７ms)は、８つのサーブフィールドに分けられるようになる。また、８つのサーブフィールドのそれぞれは、再び、リセット期間、アドレス期間及びサステイン期間に分けられるようになる。ここで、各サーブフィールドのリセット期間及びアドレス期間は、各サーブフィールド毎に同一である反面、サステイン期間とその放電回数は、サステインパルスの数に比例して各サーブフィールドにおいて、２n(n=０、１、２、３、４、５、６、７) の比率で増加される。このように各サーブフィールドにおいてサステイン期間が変化することによって画像の階調を表示することができるようになる。
【００１０】
図３は、従来のプラズマディスプレイパネルの駆動装置を示す図である。
図３を参照すれば、従来のＰＤＰの駆動装置は、第１逆ガンマ補正部３１Ａとデータ整列部３５との間に接続された、ゲイン調整部３２、誤差拡散部３３及びサーブフィールドマッピング部３４と、第２逆ガンマ補正部３１Ｂと波形発生部３７との間に接続されたＡＰＬ計算部３６とを備える。
【００１１】
第１及び第２逆ガンマ補正部(３１Ａ、３１Ｂ)は、入力ライン３０からのデジタルビデオデータ(ＲＧＢ)を逆ガンマ補正して映像信号の階調値に対する輝度を線形的に変換させる。
ゲイン調整部３２は、赤色、緑色及び青色の各データ別に有効利得を補正して色温度を補償する。
【００１２】
誤差拡散部３３は、ゲイン調整部３２から入力されるデジタルビデオデータ(ＲＧＢ)の量子化誤差を隣接したセルに拡散させることによって、輝度値を微細に補正するようになる。ここで、誤差拡散部３３を経ったデータは階調が微細に拡張される。
【００１３】
サーブフィールドマッピング部３４は、誤差拡散部３３から入力されたデータを各ビート別に予め格納されたサーブフィールドパターンにマッピングし、そのマッピングデータをデータ整列部３５に供給する。
【００１４】
データ整列部３５は、サーブフィールドマッピング部３４から入力されるデジタルビデオデータ(ＲＧＢ)をパネル３８のデータ駆動回路に供給する。データ駆動回路は、パネル３８のデータ電極に接続され、データ整列部３５から入力されるデータを１水平ライン分ずつラッチした後にラッチされたデータを１水平期間単位でパネル３８のデータ電極に供給する。
【００１５】
ＡＰＬ計算部３６は、第２逆ガンマ補正部３１Ｂから入力されるデジタルビデオデータ(ＲＧＢ)に対して一画面単位で平均輝度、すなわちＡＰＬ(Average Picture Level)を計算し、計算されたＡＰＬに対応するサステインパルス数の情報を出力するようになる。
【００１６】
波形発生部３７は、ＡＰＬ計算部３６からのサステインパルス数の情報に応答してタイミング制御信号を生成し、そのタイミング制御信号を図示しないスキャン駆動回路とサステイン駆動回路に供給する。スキャン駆動回路とサステイン駆動回路とは、波形発生部３７から入力されるタイミング制御信号に応答してサステイン期間の間にパネル３８のスキャン電極とサステイン電極とにサステインパルスを供給する。
【００１７】
このような従来のＰＤＰは、誤差拡散部３３を利用して階調を微細に拡張する。しかし、このように誤差拡散部３３を利用して階調を拡張すると、特定パターンのデータから誤差拡散パターンが現われて画質が低下する問題点が発生する。
【００１８】
また、従来のＰＤＰにおいて、より生動感のある映像を表示するためには、階調の明暗対比をはっきりさせなければならない。しかし、従来のＰＤＰではデータの明暗対比を拡張できる方法がないため生動感のある映像を表示することが困難であった。
【発明の開示】
【発明が解決しようとする課題】
【００１９】
本発明の目的は、明暗対比を拡張して生動感のある映像を表示するとともに階調を拡張するようにしたプラズマディスプレイパネルの駆動装置及び駆動方法を提供することである。
【課題を解決するための手段】
【００２０】
上記目的を達成するために、本発明の実施形態に係るプラズマディスプレイパネルの駆動装置は、外部から入力されるi(iは正の定数)番目のフレームデータを１フレーム遅延するためのフレームメモリーと、前記i番目のフレームデータ及び前記フレームメモリーから供給されるi-１番目のフレームデータを逆ガンマ補正するための逆ガンマ補正部と、フレームデータから最高階調値を抽出し、抽出した最高階調値を一時的に格納した後に出力する最大階調出力部であって、前記逆ガンマ補正部から供給されるi番目のフレームデータから最高階調値を抽出するとともに自分に格納されたi-１番目のフレームの最高階調値を出力するための最大階調値出力部と、前記逆ガンマ補正部から入力されるi-１番目のフレームデータと前記最大階調値出力部から供給されるi-１番目の最高階調値を利用してi-１番目のフレームデータの階調を拡張するためのゲイン調整部とを備えることを特徴とする。
【００２１】
また、前記ゲイン調整部は、i-１番目のフレームデータの階調が、前記プラズマディスプレイパネルで表現可能な階調領域に分布されるように階調を拡張する。
また、前記ゲイン調整部は、下式を利用して前記i-１番目のフレームの階調を拡張する。
拡張階調=ＭＧＬ/ＦＧＬ×input data
（ここで、ＭＧＬは表現可能な最高階調、ＦＧＬはi-１番目のフレームの最高階調値、input dataは逆ガンマ補正部から入力されるi-１番目のフレームデータである。）
【００２２】
また、前記逆ガンマ補正部から供給されるi番目のフレームデータを利用して一画面単位の平均輝度を計算し、計算された平均輝度に対応されるサステインパルス数の情報を出力するためのＡＰＬ計算部と、ＡＰＬ計算部から出力されるサステインパルス数の情報を１フレーム遅延して出力するための遅延部とをさらに備える。
【００２３】
また、前記i番目のフレームデータを逆ガンマ補正するための追加逆ガンマ補正部と、追加逆ガンマ補正部から供給されるi番目のフレームデータを利用して一画面単位の平均輝度を計算し、計算された平均輝度に対応されるサステインパルス数の情報を出力するためのＡＰＬ計算部(Average Picture Level)と、ＡＰＬ計算部から出力されるサステインパルス数の情報を１フレーム遅延して出力するための遅延部とをさらに備える。
【００２４】
また、前記ゲイン調整部から供給される階調拡張されたi-１番目のフレームデータをサーブフィールドパターンにマッピングするためのサーブフィールドマッピング部と、サーブフィールドマッピング部から供給されるデータを整列してデータ駆動回路に供給するためのデータ整列部と、遅延部から供給されるi-１番目のサステインパルス数の情報に対応されるタイミング制御信号を生成し、スキャン駆動回路及びサステイン駆動回路に供給するための波形発生部とを備える。
【００２５】
本発明の実施形態に係るプラズマディスプレイパネルの第１駆動方法は、外部からフレーム単位で供給されるデータを逆ガンマ補正する段階と、逆ガンマ補正されたデータからフレームの最高階調値を抽出する段階と、最高階調値を利用してデータの階調を拡張する段階とを含む。
【００２６】
また、前記データの階調を拡張する段階では、下式を利用して階調を拡張する。
拡張階調=ＭＧＬ/ＦＧＬ×input data
（ここで、ＭＧＬは表現可能な最高階調、ＦＧＬはフレームの最高階調値、input dataは逆ガンマ補正部から入力されるデータである。）
【００２７】
また、前記逆ガンマ補正されたデータを利用して一画面単位の平均輝度を計算し、計算された平均輝度に対応されサステインパルス数を算出する段階を含む。
【００２８】
本発明の実施形態に係るプラズマディスプレイパネルの第２駆動方法は、外部から供給されるi番目のフレームデータを１フレーム遅延して出力する段階と、１フレーム遅延されたi-１番目のフレームデータ及びi番目のフレームデータを逆ガンマ補正する段階と、逆ガンマ補正されたデータのi番目のフレームデータから最高階調値を抽出するとともに、格納されたi-１番目のフレームデータの最高階調値を出力する段階と、前記逆ガンマ補正されたi-１番目のフレームデータをi-１番目のフレームデータの最高階調値を利用して階調拡張する段階とを含む。
【００２９】
また、前記階調拡張する段階では、下式を利用して階調を拡張する。
拡張階調=ＭＧＬ/ＦＧＬ×input data
（ここで、ＭＧＬは表現可能な最高階調、ＦＧＬはi-１フレームの最高階調値、input dataは逆ガンマ補正部から入力されるi-１フレームデータである。）
【００３０】
また、前記逆ガンマ補正されたi番目のフレームデータを利用して一画面単位の平均輝度を計算し、計算された平均輝度に対応されサステインパルス数を算出する段階と、算出されたサステインパルス数の情報を１フレーム遅延する段階とを含む。
【００３１】
また、前記階調が拡張されたi-１番目のフレームデータ及び１フレーム遅延された i-１番目のサステインパルス数の情報を利用して画像を表示する段階を含む。
本発明に係るプラズマディスプレイパネルの駆動装置は、外部から供給される前記フレームデータを逆ガンマ補正して出力する逆ガンマ補正部と、前記逆ガンマ補正部から出力される前記フレームデータから最高階調値を抽出する最大階調値出力部と、ゲイン調整部とを備える。そして、前記ゲイン調整部は、前記逆ガンマ補正部から出力される前記フレームデータと、前記最大階調値出力部から供給される前記フレームデータに対応する最高階調値とを利用して、前記フレームデータの階調を拡張する。
また、外部から供給されるフレームデータを１フレーム遅延させるためのフレームメモリをさらに備えても良い。この場合、前記逆ガンマ補正部は、外部から供給される前記フレームデータを逆ガンマ補正して出力する第１逆ガンマ補正手段と、前記フレームメモリから１フレーム分遅れて供給される前記フレームデータを逆ガンマ補正して出力する第２逆ガンマ補正手段とを含み、前記最大階調値出力部は前記第１逆ガンマ補正手段から出力される前記フレームデータから最高階調値を抽出し、前記ゲイン調整部は、前記第２逆ガンマ補正手段から出力される前記フレームデータと、前記最大階調値出力部から供給される前記フレームデータに対応する最高階調値とを利用して、前記フレームデータの階調を拡張する。
【発明の効果】
【００３２】
本発明によるプラズマディスプレイパネルの駆動装置及び駆動方法によれば、入力データの階調を全体階調領域に分布させることによって明暗対比を拡張することができ、これによって生動感のある映像を表示することができる。そして、入力データの階調が全体階調領域に拡張されるとコントラストが増加される。また、本発明においては階調領域を拡張するとき誤差拡散部及び/又はディザリング(dithering)を利用しないため階調領域の拡張に対するノイズ(例えば、誤差拡散パターン)の発生を防止することができる。
【発明を実施するための最良の形態】
【００３３】
以下、添付された図面を参照して本発明によるプラズマディスプレイパネルの駆動装置、プラズマディスプレイパネルの第１駆動方法及び第２駆動方法を具体的に説明する。
【００３４】
図４は、本発明の実施形態によるプラズマディスプレイパネルの駆動装置を示す図である。
図４を参照すれば、本発明の実施形態によるＰＤＰの駆動装置は、フレームメモリー４２とデータ整列部５０との間に接続された、第１逆ガンマ補正部４４Ａ、ゲイン調整部４６、サーブフィールドマッピング部４８と、第２逆ガンマ補正部４４Ｂと波形発生部５４との間に接続された、ＡＰＬ計算部５２、遅延部５３と、第１逆ガンマ補正部４４Ａとゲイン調整部４６との間に接続された最大階調値抽出部５８とを備える。
【００３５】
フレームメモリー４２は一つのフレーム分のデータを格納後出力する。
第１逆ガンマ補正部４４Ａは、入力ライン４０及びフレームメモリー４２を介して入力されるデジタルビデオデータ(ＲＧＢ)を逆ガンマ補正して映像信号の階調値に対する輝度を線形的に変換させる。ここで、第１逆ガンマ補正部４４Ａに入力ライン４０からi(iは正の定数)番目のフレームデータが入力され、フレームメモリー４２からi-１番目のフレームデータが入力される。
【００３６】
最大階調値抽出部５８には、第１逆ガンマ補正部４４Ａからi番目のフレームデータが入力される。ここで、最大階調値抽出部５８は、入力されるi番目のフレームデータから最大階調値を抽出する。また、最大階調値抽出部５８は、フレームデータの最大階調値を抽出した後、その最大階調値を一時的に格納した後に出力する。最大階調値抽出部５８は、i番目のフレームデータが入力されるとき、一時的に格納されしているi-１番目のフレームデータの最大階調値をゲイン調整部４６に供給する。
【００３７】
ゲイン調整部４６には、第１逆ガンマ補正部４４Ａからi-１番目のフレームデータが供給される。そして、ゲイン調整部４６には最大階調値抽出部５８からi-１番目のフレームの最大階調値が供給される。ここで、ゲイン調整部４６は、下式２を利用してi-１番目のフレームデータの階調領域を拡張する。
【００３８】
[数１]
拡張階調=表現可能な最大階調/フレームの最大階調値×入力データの階調値
【００３９】
上式１において、表現可能な最大階調は現在ＰＤＰにおける表現可能な最大階調値を意味する。例えば、ＰＤＰで２５６階調を表示することができる場合、表現可能な最大階調は「２５５」で設定される。フレームの最大階調値は最大階調値抽出部５８から供給されるフレームの最大階調値を意味する。そして、入力データの階調値は第１逆ガンマ補正部４４Ａから入力されるデータの階調値を意味する。
【００４０】
例えば、i-１番目のフレームの最大階調が「１２８」であり、現在入力されるデータの階調値が「１２８」であれは(すなわち、最大階調)、ゲイン調整部４６で「１２８」の階調は「２５５」に拡張される。そして、現在入力されるデータの階調値が「６５」であれは、ゲイン調整部４６で「６５」の階調は「１２９.４９」に拡張される。ここで、ゲイン調整部４６は数式１によって計算された階調を四捨五入(１２９)、切下(１２９)又は切上(１３０)方法を利用して整数化(小数点除去)する。
【００４１】
前記のようにゲイン調整部４６は、逆ガンマ補正部４４Ａから入力されるi-１番目のフレームデータを、数式１を利用して全体階調領域に分布させる。言い換えれば、ゲイン調整部４６は、図５のように一部領域に分布されている入力データの階調を全体階調領域(０〜２５５)に拡張する。このようにデータが全体階調領域に拡張されると、明暗対比（コントラスト比）が拡張されるようになる。つまり、一部領域に分布されているデータの階調領域が全体階調領域(０〜２５５)に拡張されるためデータ間の明るさと暗さが確かに現われるようになって(すなわち、明暗対比の拡張)生動感のある映像が表現されることができる。
【００４２】
サーブフィールドマッピング部４８は、ゲイン調整部４６から入力されるi-１フレームデータを各ビート別に予め格納されたサーブフィールドパターンにマッピングし、そのマッピングデータをデータ整列部５０に供給する。
【００４３】
データ整列部５０は、サーブフィールドマッピング部４８から入力されるデジタルビデオデータをパネル５６のデータ駆動回路に供給する。データ駆動回路は、パネル５６のデータ電極に接続されデータ整列部５０から入力されるデータを１水平ライン分ずつラッチした後にラッチされたデータを１水平期間単位でパネル５６のデータ電極に供給する。
【００４４】
第２逆ガンマ補正部４４Ｂは、入力ライン４０から供給されるi番目のフレームのデジタルビデオデータ(ＲＧＢ)を逆ガンマ補正して映像信号の階調値に対する輝度を線形的に変換させる。
【００４５】
ＡＰＬ計算部５２は、第２逆ガンマ補正部４４Ｂから入力されるi番目のフレームのデジタルビデオデータ(ＲＧＢ)に対して一画面単位で平均輝度、すなわちＡＰＬを計算し、計算されたＡＰＬに対応するサステインパルス数の情報を出力する。(実際には、ＡＰＬ計算部５２は第１逆ガンマ補正部４４Ａからi番目のフレームのデジタルビデオデータを入力受けることができる。第１逆ガンマ補正部４４Ａからｉ番目のフレームのデジタルビデオデータをＡＬＰ計算部５２に入力するように構成する場合には、第２逆ガンマ補正部４４Ｂは除去される。) ここで、ＡＰＬ計算部５２は、拡張された階調ではなく元のデータの階調情報を利用してＡＰＬを計算する。従って、サステインパルス数は元のデータに対応され多様に設定されるようになる。
【００４６】
遅延部５３は、ＡＰＬ計算部５２から入力されるサステインパルス数の情報を１フレーム遅延させる。従って、遅延部５３にi番目のフレームに対応するサステインパルス数の情報が入力されるときi-１番目のフレームに対応するサステインパルス数の情報が波形発生部５４に供給される。
【００４７】
波形発生部５４は、供給されるi-１番目のフレームのサステインパルス数の情報に応答してタイミング制御信号を生成し、そのタイミング制御信号を図示しないスキャン駆動回路とサステイン駆動回路に供給する。スキャン駆動回路とサステイン駆動回路は、波形発生部５４から入力されるタイミング制御信号に応答してサステイン期間の間にパネル５６のスキャン電極とサステイン電極にサステインパルスを供給する。
【００４８】
パネル５６は、データ駆動回路、スキャン駆動回路及びサステイン駆動回路の制御によってi-１番目のフレームに対応される所定の画像を表示する。ここで、パネル５６に表示される画像は、拡張された階調領域のデータによって決定される。従って、パネル５６には生動感（躍動感）のある映像が表示されるようになる。
【図面の簡単な説明】
【００４９】
【図１】従来のプラズマディスプレイパネルを概略的に示す平面図。
【図２】図１に示されたセルの構造を詳細に示す斜視図。
【図３】従来のプラズマディスプレイパネルの駆動装置を示すブロック図。
【図４】本発明の実施形態によるプラズマディスプレイパネルの駆動装置を示すブロック図。
【図５】図４に示されたゲイン調整部の動作過程を示す図。
【符号の説明】
【００５０】
１０  上部基板
１１  金属バス電極
１２  透明電極
１３  上部誘電体層
１４  保護膜
１５  隔壁
１６  蛍光体層
１７  下部誘電体層
１８  下部基板
４０  入力ライン
４２  フレームメモリー
４４Ａ  第１逆ガンマ補正部
４４Ｂ  第２逆ガンマ補正部
４６  ゲイン調整部
４８  サーブフィールドマッピング部
５０  データ整列部
５２  ＡＰＬ計算部
５３  遅延部
５４  波形発生部
５８  最大階調値抽出部
【図１】
2005107533.tif 000003
【図２】
2005107533.tif 000004
【図３】
2005107533.tif 000005
【図４】
2005107533.tif 000006
【図５】
2005107533.tif 000007